(57)【特許請求の範囲】
【請求項１】
ディスクから再生した映像信号の出力をインターレース走査の映像信号とプログレッシブ走査の映像信号とに切り換える映像出力切り換え回路を有するディスク再生装置において、
前記映像出力切り換え回路が、インターレース走査の映像信号を増幅する増幅回路、及び、該増幅回路の前段にインターレース走査用の映像信号に含まれるノイズを除去するためのフィルタを内蔵しているとともに、出力をミュートするためのミュート端子を備えた第１のビデオアンプと、プログレッシブ走査の映像信号を増幅する増幅回路、及び、該増幅回路の前段にプログレッシブ走査の映像信号に含まれるノイズを除去するためのフィルタを内蔵しているとともに、出力をミュートするためのミュート端子を備えた第２のビデオアンプと、前記第１のビデオアンプと前記第２のビデオアンプとの出力が共通に接続された出力端子と、インバータと、を備えており、前記第１のビデオアンプと前記第２のビデオアンプとのどちらか一方のミュート端子には選択信号がそのまま入力されており、他方のミュート端子には前記選択信号が前記インバータを介して入力されていることを特徴とするディスク再生装置。
【請求項２】
インターレース走査の映像信号を増幅する増幅回路、及び、該増幅回路の前段にインターレース走査用の映像信号に対応する特性をもったフィルタを内蔵しているとともに、出力をミュートするためのミュート端子を備えた集積回路である第１のビデオアンプと、
プログレッシブ走査の映像信号を増幅する増幅回路、及び、該増幅回路の前段にプログレッシブ走査の映像信号に対応する特性をもったフィルタを内蔵しているとともに、出力をミュートするためのミュート端子を備えた集積回路である第２のビデオアンプと、
前記第１のビデオアンプと前記第２のビデオアンプとの出力が共通に接続された出力端子と、
を備えたことを特徴とする映像出力切り換え回路。
【請求項３】
前記第１のビデオアンプと前記第２のビデオアンプとの一方のミュート端子に入力される選択信号を反転させて前記第１のビデオアンプと前記第２のビデオアンプとの他方のミュート端子に入力するインバータを備えたことを特徴とする請求項２に記載の映像出力切り換え回路。
【請求項４】
前記第１のビデオアンプを含む、プログレッシブ走査の映像信号のみを出力する機種では不要となる回路群と、第２のビデオアンプを含む、インターレース走査の映像信号のみを出力する機種では不要となる回路群とを別々の回路基板に実装していることを特徴とする請求項２または３に記載の映像出力切り換え回路。
【発明の詳細な説明】
【０００１】
【発明の属する技術分野】
本発明は、ディスク再生装置などに設けられる映像出力切り換え回路に関するものである。
【０００２】
【従来の技術】
従来から、ディスクの１種であるＤＶＤ（Ｄｉｇｉｔａｌ  Ｖｉｄｅｏ  Ｄｉｓｃ）から映像信号を再生するディスク再生装置として、再生した映像信号の出力をインターレース走査（飛び越し走査）の映像信号とプログレッシブ走査（順次走査）の映像信号とに切り換えることができるものが提供されている。
【０００３】
このようなディスク再生装置の出力部分には、映像出力切り換え回路が設けられている。この映像出力切り換え回路の従来のブロック図を図３に示す。同図において、３０１は第１のフィルタ、３０２は第２のフィルタ、３０３はマルチプレクサ、３０４はビデオアンプ、３０５は出力端子である。
【０００４】
第１のフィルタ３０１、第２のフィルタ３０２は、それぞれインターレース走査の映像信号、プログレッシブ走査の映像信号に含まれるノイズの除去を目的として設けられるものである。尚、インターレース走査の映像信号とプログレッシブ走査の映像信号とは周波数帯域が異なるため、第１のフィルタ３０１と第２のフィルタ３０２とに要求される特性は異なる。マルチプレクサ３０３は、２つの入力信号を選択して出力する。ビデオアンプ３０４は、入力される映像信号を増幅して出力する。尚、マルチプレクサ３０３、ビデオアンプ３０４はそれぞれ１つの集積回路となっている。
【０００５】
インターレース走査の映像信号を構成する輝度信号Ｙ、色差信号Ｃｂ、Ｃｒは、第１のフィルタ３０１を介してマルチプレクサ３０３に入力される。プログレッシブ走査の映像信号を構成する輝度信号Ｙ’、色差信号Ｃｂ’、Ｃｒ’は、第２のフィルタ３０２を介してマルチプレクサ３０３に入力される。マルチプレクサ３０３では、インターレース走査の映像信号とプログレッシブ走査の映像信号との２つの入力信号のどちらか一方が選択信号ＳＥＬに応じて選択されて出力される。マルチプレクサ３０３から出力される映像信号はビデオアンプ３０４によって増幅されて出力端子３０５から出力される。
【０００６】
このように、従来のインターレース／プログレッシブ切り換え回路では、マルチプレクサ３０３で映像信号を選択してから増幅する構成であったため、映像信号を増幅する回路（ビデオアンプ３０４）が１つで済むという利点があった。
【０００７】
【発明が解決しようとする課題】
しかしながら、マルチプレクサ３０３は、そのピン配置の関係から信号線の引き回しが困難になる傾向があり、また、第１のフィルタ３０１及び第２のフィルタ３０２はコストの関係で通常はディスクリート部品で構成されるため、回路基板を占有する面積が大きくなるという問題があった。その他には、部品点数が多く、組み立て作業に時間を要するという問題もあった。
【０００８】
また、インターレース走査の映像信号のみ、あるいは、プログレッシブ走査の映像信号のみを出力する機種の場合には、第１のフィルタ３０１と第２のフィルタ３０２とのどちらか一方、及び、ビデオアンプ３０４のみを回路基板に実装することになるが、通常は異なる機種でも共通の回路基板が使用されるため、フィルタ３０１または３０２とビデオアンプ３０４との間をジャンパで接続するという作業が必要になり、組み立て作業が面倒になるという問題があった。
【０００９】
尚、特開平７−２９８２１１の公報に開示されている技術は、インターレース走査の信号とプログレッシブ走査の信号とを選択的に生成することによって映像出力を切り換えるものであり、映像出力を切り換える方式が根本的に異なっている。
【００１０】
また、特開平７−３１２０２７の公報に開示されている技術は、デジタル情報とアナログ情報の出力端子を共有することによって装置の小型化とローコスト化を図るものであり、上記の課題を解決するものではない。
【００１１】
そこで、本発明は、回路基板を占有する面積の減少、及び、組み立て作業に要する時間の短縮を実現するとともに、映像出力の切り換えを行わない構成にする場合であっても組み立て作業が面倒にならないようにした映像出力切り換え回路を提供することを目的とする。
【００１２】
【課題を解決するための手段】
上記の目的を達成するため、本発明の映像出力切り換え回路では、インターレース走査の映像信号を増幅する増幅回路、及び、該増幅回路の前段にインターレース走査用の映像信号に対応する特性をもったフィルタを内蔵しているとともに、出力をミュートするためのミュート端子を備えた集積回路である第１のビデオアンプと、プログレッシブ走査の映像信号を増幅する増幅回路、及び、該増幅回路の前段にプログレッシブ走査の映像信号に対応する特性をもったフィルタを内蔵しているとともに、出力をミュートするためのミュート端子を備えた集積回路である第２のビデオアンプと、前記第１のビデオアンプと前記第２のビデオアンプとの出力が共通に接続された出力端子と、を備えている。
【００１３】
尚、前記第１のビデオアンプと前記第２のビデオアンプとの一方のミュート端子に入力される選択信号を反転させて前記第１のビデオアンプと前記第２のビデオアンプとの他方のミュート端子に入力するインバータを備えていてもよい。
【００１４】
また、前記第１のビデオアンプを含む、プログレッシブ走査の映像信号のみを出力する機種では不要となる回路群と、第２のビデオアンプを含む、インターレース走査の映像信号のみを出力する機種では不要となる回路群とを別々の回路基板に実装するようにしてもよい。
【００１５】
【発明の実施の形態】
以下に本発明の実施形態を図面を参照しながら説明する。図１は本発明の映像出力切り換え回路を使用したディスク再生装置のブロック図である。ディスクモータ２によって回転駆動されるディスク１から情報を検出するピックアップ３の出力は、ＲＦアンプ４を介して信号処理回路５とサーボ処理回路６とに導かれており、サーボ処理回路６の出力は、デジタルシグナルプロセッサ（以下、「ＤＳＰ」）５に導かれている。
【００１６】
また、ＤＳＰ５には、ＲＦアンプ４によって増幅され、ＤＶＤ規格に従ってデコードされたデータ（但し、ここでは、ＭＰＥＧ（Ｍｏｔｉｏｎ  Ｐｉｃｔｕｒｅ  Ｅｘｐｅｒｔ  Ｇｒｏｕｐ）により圧縮されている）を一旦格納するトラックバッファＲＡＭ（Ｒａｎｄｏｍ  Ａｃｃｅｓｓ  Ｍｅｍｏｒｙ）７が接続されている。これらＲＦアンプ４、ＤＳＰ５、及び、サーボ処理回路６は、マイクロコンピュータ８によって制御される。このように、マイクロコンピュータ８は、ディスク１から情報を再生する動作の制御を司るものであり、以下、「フロントエンドマイコン」と称するものとする。
【００１７】
サーボ処理回路６は、フロントエンドマイコン８からＤＳＰ５を経由して送受信されるコマンドや制御データに従って、ピックアップ３に対するフォーカシングサーボやトラッキングサーボのサーボ制御を行うとともに、ピックアップ３全体をディスク１の半径方向に移動させるためのスレッドモータ９の制御や、ディスク１を装填する不図示のトレイを駆動するトレイモータ１０の制御を行う。
【００１８】
尚、トレイに装填されたディスク１がＤＶＤである場合の再生信号は、ＲＦアンプ４を経由してＤＳＰ５に入力され、一方、トレイに装填されたディスク１がＣＤ−ＲＯＭ（Ｃｏｍｐａｃｔ  Ｄｉｓｃ  −  Ｒｅａｄ  Ｏｎｌｙ  Ｍｅｍｏｒｙ）である場合の再生信号は、ＲＦアンプ４からサーボ処理回路６を経由してＤＳＰ５に入力される。ＤＳＰ５は、これらＤＶＤデータのデコード処理やＣＤ−ＲＯＭデータのデコード処理等も行う。
【００１９】
また、ＤＳＰ５は、Ａ／Ｖ（Ａｕｄｉｏ／Ｖｉｄｅｏ）デコーダ１１に接続されており、Ａ／Ｖデコーダ１１の出力は、ビデオエンコーダ１３とＤ／Ａコンバータ１４とに接続されている。ビデオエンコーダ１３の出力は、映像出力切り換え回路２３に接続されている。Ａ／Ｖデコーダ１１は、トラックバッファＲＡＭ７から読み出されたＭＰＥＧにより圧縮されているデータを伸長する。また、Ａ／Ｖデコーダ１１には、伸長したデジタルのデータを数画面分格納するためのＡ／ＶデコードＲＡＭ１５が接続されている。
【００２０】
また、Ａ／Ｖデコーダ１１は、マイクロコンピュータ１６に接続されており、マイクロコンピュータ１６には、ワークＲＡＭ１７が接続されている。尚、マイクロコンピュータ１６は、ディスク１から再生された情報を出力する動作の制御を司るものであり、以下、「バックエンドマイコン」と称するものとする。また、フロントエンドマイコン８とバックエンドマイコン１６との連携によりディスク再生装置全体の動作が制御されている。
【００２１】
また、バックエンドマイコン１６には、ＬＣＤ等から成るフロントパネル２０の表示制御を行うフロントパネルコントローラ１９が接続されており、フロントパネルコントローラ１９には、キー入力部２１の出力が導かれている、また、フロントパネルコントローラ１９には、リモコン２２からの送信信号を受信する不図示の受信部が設けられている。
【００２２】
ここで、上記構成のディスク再生装置における再生時の動作について簡単に説明する。ディスク１に記録されたデータは、ピックアップ３で検出され、ＲＦアンプ４で波形整形及び増幅が行われた後、ＤＳＰ５においてＤＶＤ規格に従いデコードされる。デコードされたデータは、ＭＰＥＧにより圧縮されている状態でトラックバッファＲＡＭ７に順次蓄えられ、バックエンドマイコン１６からの読み出し要求を待つ。
【００２３】
そして、トラックバッファＲＡＭ７に蓄えられたデータは、バックエンドマイコン１６からの読み出し要求に従って順次読み出され、Ａ／Ｖデコーダ１１に転送されて、ここでＭＰＥＧによる圧縮データの伸長が行われてビデオデータにデコードされる。デコードされたビデオデータは、Ａ／ＶデコードＲＡＭ１５に一旦蓄えられた後、再び読み出されてビデオエンコーダ１３に順次転送され、ここでアナログの映像信号に変換される。ビデオエンコーダ１３から映像出力切り換え回路２３には、インターレース走査の映像信号とプログレッシブ走査の映像信号との２つの映像信号が供給される。映像出力切り換え回路２３では２つの映像信号のどちらか一方が選択されて出力端子２３ａから出力される。
【００２４】
一方、ＭＰＥＧにより圧縮されているオーディオデータについては、ビデオデータと同様にトラックバッファＲＡＭ７に順次蓄えられ、バックエンドマイコン１６からの読み出し要求に従って順次読み出され、Ａ／Ｖデコーダ１１に転送されて、ここでＭＰＥＧによる圧縮データの伸長が行われてオーディオデータにデコードされる。デコードされたオーディオデータは、Ａ／ＶデコードＲＡＭ１５に一旦蓄えられた後、再び読み出されてＤ／Ａコンバータ１４に順次転送され、ここでアナログのオーディオ信号に変換されてオーディオ出力端子１４ａから出力される。
【００２５】
このような再生動作過程において、トラックバッファＲＡＭ７に蓄えられたデータは、バックエンドマイコン１６からの読み出し要求に従って順次読み出されると、次のデータによって順次上書きされ、これを繰り返すことによって画像データを順次その後の信号再生系に出力するようになっている。
【００２６】
また、Ａ／ＶデコードＲＡＭ１５についても同様であり、Ａ／ＶデコードＲＡＭ１５に蓄えられたデータは、バックエンドマイコン１６からの読み出し要求に従って順次読み出されると、トラックバッファＲＡＭ７から読み出され転送されてきた次のデータによって順次上書きされ、これを繰り返すことによって画像データを順次その後の信号再生系に出力するようになっている。
【００２７】
本実施形態のディスク再生装置における映像出力切り換え回路２３の構成を図２に示す。同図において、２３１は第１のビデオアンプ、２３２は第２のビデオアンプ、２３３はインバータ、２３４は出力端子である。
【００２８】
第１のビデオアンプ２３１は、インターレース走査の映像信号を増幅する増幅回路、及び、該増幅回路の前段にインターレース走査の映像信号に含まれるノイズを除去するためのフィルタを内蔵しているとともに、出力をミュートするためのミュート端子ＭＵＴＥを備えた１つの集積回路となっている。
【００２９】
第２のビデオアンプ２３２は、プログレッシブ走査の映像信号を増幅する増幅回路、及び、該増幅回路の前段にプログレッシブ走査の映像信号に含まれるノイズを除去するためのフィルタを内蔵しているとともに、出力をミュートするためのミュート端子ＭＵＴＥを備えた１つの集積回路となっている。
【００３０】
第１のビデオアンプ２３１には、輝度信号Ｙ、色差信号Ｃｂ、Ｃｒから成るインターレース走査の映像信号が入力されている。第２のビデオアンプ２３２には、輝度信号Ｙ’、色差信号Ｃｂ’、Ｃｒ’から成るプログレッシブ走査の映像信号が入力されている。出力端子２３４には、第１のビデオアンプ２３１と第２のビデオアンプ２３２との出力が共通に接続されている。
【００３１】
第１のビデオアンプ２３１のミュート端子ＭＵＴＥには、選択信号ＳＥＬが入力されている。第２のビデオアンプ２３２のミュート端子ＭＵＴＥには、インバータ２３３を介して選択信号ＳＥＬが入力されている。尚、本実施形態では、第１のビデオアンプ２３１及び第２のビデオアンプ２３２では、ミュート端子ＭＵＴＥに入力される信号がハイレベルであるときに出力がミュートされる構成となっている。
【００３２】
また、選択信号ＳＥＬのハイレベルとローレベルとの切り換えは、使用者がインターレース出力とプログレッシブ出力とのどちらを選択したかに応じてバックエンドマイコン１６が行う（本実施形態では、インターレース出力が選択されているときには選択信号ＳＥＬをローレベル、プログレッシブ出力が選択されているときには選択信号ＳＥＬをハイレベルにする）場合や、使用者がスライドスイッチを操作することによって直接的に行う場合がある。
【００３３】
以上の構成により、インターレース走査の映像信号とプログレッシブ走査の映像信号とのどちらか一方がビデオアンプでフィルタリング及び増幅されて出力端子２３４から出力される。尚、本実施形態では、選択信号ＳＥＬがハイレベルであるときには、第１のビデオアンプ２３１の出力がミュートされ、第２のビデオアンプ２３２の出力であるプログレッシブ走査の映像信号が出力端子２３４から出力される。一方、選択信号ＳＥＬがローレベルであるときには、第２のビデオアンプ２３２の出力がミュートされ、第１のビデオアンプ２３１の出力であるインターレース走査の映像信号が出力端子２３４から出力される。
【００３４】
このように、本実施形態の映像出力切り換え回路２３では、インターレース走査の映像信号とプログレッシブ走査の映像信号とを増幅してから選択する構成であるので、ディスクリート部品で構成されるフィルタを使用する代わりに、フィルタを内蔵したビデオアンプ２３１及び２３２を使用することが可能となる。また、ビデオアンプ２３１及び２３２のミュート端子を用いて出力を切り換えることによってマルチプレクサを使用しないようにしている。
【００３５】
これにより、映像出力切り換え回路２３が回路基板を占有する面積は従来よりも少なくて済み、また、部品点数が減少するので、組み立てに要する時間が短縮される。
【００３６】
また、インターレース走査の映像信号のみ、あるいは、プログレッシブの映像信号のみを出力する機種の場合であっても、ビデオアンプ２３１あるいは２３２の一方を実装するだけでよく、ジャンパで接続するといった作業は必要とならないので、組み立て作業が面倒になることはない。
【００３７】
その他には、第１のビデオアンプ２３１を含む、プログレッシブ走査の映像信号のみを出力する機種では不要となる回路群を実装する回路基板と、第２のビデオアンプ２３２を含む、インターレース走査の映像信号のみを出力する機種では不要となる回路群を実装する回路基板とを別々にしておけば、インターレース走査の映像信号のみ、あるいは、プログレッシブの映像信号のみを出力する機種では、どちらか一方の回路基板を搭載するだけで済むので、装置の小型化を実現することが可能となる。
【００３８】
【発明の効果】
以上説明したように、本発明の映像出力切り換え回路によれば、ディスクリート部品で構成されたフィルタ及びマルチプレクサを使用しないで済むので、回路基板を占有する面積の減少、及び、組み立て作業に要する時間の短縮を実現することができる。
【００３９】
また、インターレース走査の映像信号のみ、あるいは、プログレッシブの映像信号のみを出力する機種の場合であっても、ジャンパで接続するといった作業は必要とならないので、組み立て作業が面倒になることはない。
【００４０】
したがって、本発明の映像出力切り換え回路をディスク再生装置などに使用することによって、装置の小型化及び低廉化が期待される。
【図面の簡単な説明】
【図１】本発明の映像出力切り換え回路を使用したディスク再生装置のブロック図である。
【図２】本発明の映像出力切り換え回路のブロック図である。
【図３】従来の映像出力切り換え回路のブロック図である。
【符号の説明】
１    ディスク
２    ディスクモータ
３    ピックアップ
４    ＲＦアンプ
５    ＤＳＰ（デジタルシグナルプロセッサ）
６    サーボ処理回路
７    トラックバッファＲＡＭ
８    マイクロコンピュータ（フロントエンドマイコン）
１１    Ａ／Ｖデコーダ
１３    ビデオエンコーダ
１４    Ｄ／Ａコンバータ
１５    Ａ／ＶデコードＲＡＭ
１６    マイクロコンピュータ（バックエンドマイコン）
１７    ワークＲＡＭ
１９    フロントパネルコントローラ
２０    フロントパネル
２１    キー入力部
２２    リモコン
２３    映像出力切り換え回路
２３１    第１のビデオアンプ
２３２    第２のビデオアンプ
２３３    インバータ
２３４    出力端子
３０１    第１のフィルタ
３０２    第２のフィルタ
３０３    マルチプレクサ
３０４    ビデオアンプ
３０５    出力端子
【図１】
0003598516.tif 000002
【図２】
0003598516.tif 000003
【図３】
0003598516.tif 000004